(57)【要約】【課題】ソケットコンタクトから電線が抜けることを抑制するソケットコネクタを提供すること。【解決手段】ソケットハウジング１１と、ソケットコンタクト２１と、を備え、ソケットハウジング１１は、ソケットコンタクト２１が配置される電線配置溝１２と、電線配置溝１２よりも第４方向Ｄ４側の端部の側に設けられ、且つ電線配置溝１２と連通する接点収容部１４と、を有し、ソケットコンタクト２１は、本体部２２と、接点収容部１４に収容される接点部２４と、本体部２２の底板２２ａに設けられる圧接部２３と、を備え、圧接部２３は、２つの電線挟持部材２３ａを有し、２つの電線挟持部材２３ａは、電線Ｗを挟持する第１部分２３ａ１と、第１部分２３ａ１よりも第１方向Ｄ１側の第２部分２３ａ２とを有し、２つの電線挟持部材２３ａの間隔は、第１部分２３ａ１よりも第２部分２３ａ２の方が狭くなっているソケットコネクタ。【選択図】図１０
2015232931.tif 000002
【特許請求の範囲】
【請求項１】
ベースハウジング及びベースコンタクトを備え且つ回路基板に固定されるベースコネクタと組み合わされて使用され、電線が配置されるソケットコネクタであって、
前記ソケットコネクタと前記ベースコネクタとが組み合わされた状態において、前記ソケットコネクタから前記ベースコネクタに向かう方向を第１方向とし、前記第１方向と反対の方向を第２方向とし、前記第１方向及び前記第２方向に直交する方向を第３方向とし、前記第３方向と反対の方向を第４方向とし、前記第１方向、前記第２方向、前記第３方向及び前記第４方向に直交する方向を第５方向としたときに、
前記ソケットコネクタは、ソケットハウジングと、ソケットコンタクトと、を備え、
前記ソケットハウジングは、前記第３方向側の端面である第３方向側端面と、前記第３方向側端面に達するように前記第３方向に延びる電線配置溝であって前記ソケットコンタクトが配置される電線配置溝と、前記電線配置溝よりも前記第４方向側の端部の側に設けられ、且つ前記電線配置溝と連通する接点収容部と、を有し、
前記電線配置溝は、溝底面と、前記第５方向に対向する２つの溝側壁と、を有しており、
前記ソケットコンタクトは、前記溝底面に接する底板と、前記２つの溝側壁にそれぞれ接する２つの側壁板と、を有する本体部と、前記本体部の前記第４方向側の端部に設けられ、前記接点収容部に収容される接点部と、前記底板に設けられる圧接部と、を備え、
前記圧接部は、前記第１方向に向かって延び、前記第５方向に対向する２つの電線挟持部材を有し、前記２つの電線挟持部材は、前記電線を挟持する第１部分と、前記第１部分よりも前記第１方向側の第２部分とを有し、前記２つの電線挟持部材の間隔は、前記第１部分よりも前記第２部分の方が狭くなっているソケットコネクタ。
【請求項２】
前記２つの電線挟持部材は、その一方又は両方の前記第２部分に、突起を有し、前記２つの電線挟持部材の間隔は、前記突起によって、前記第１部分よりも前記第２部分の方が狭くなっている請求項１に記載のソケットコネクタ。
【請求項３】
前記本体部の前記第３方向側の端部の側には、前記第５方向に対向する２つのかしめ部材が設けられており、前記２つのかしめ部材は、前記電線配置溝に配置される前記電線を抱き込むことによって、前記電線をかしめる請求項１又は２に記載のソケットコネクタ。
【請求項４】
前記２つの電線かしめ部材は、前記電線をかしめた状態において、前記第３方向及び前記第４方向に互いに重なる請求項３に記載のソケットコネクタ。
【発明の詳細な説明】
【技術分野】
【０００１】
本発明は、回路基板に固定されたベースコネクタと組み合わされて使用されるソケットコネクタに関する。
【背景技術】
【０００２】
従来より、回路基板に固定されたベースコネクタと、ソケットコネクタとからなるコネクタ対（以下、「ソケットコネクタ−ベースコネクタ対」ともいう。）が知られている。このソケットコネクタ−ベースコネクタ対に使用されるソケットコネクタとして、圧接型のソケットコネクタが知られている（特許文献１参照）。
【０００３】
特許文献１における図１には、従来の圧接型のソケットコネクタ１００が示されている。この圧接型のソケットコネクタ１００は、電線挿入溝１１５を有するソケットハウジング１１０と、電線挿入溝１１５に圧入されたソケットコンタクト１２０と、を備えている。特許文献１における図１０には、絶縁材で被覆された導体である電線Ｗが挿入された状態のソケットコネクタ１００が示されている。特許文献１における図９には、単体のソケットコンタクト１２０が示されている。ソケットコンタクト１２０は、電線Ｗと電気的接続を図るためのスロット１２３を有している。電線Ｗがスロット１２３に挿入されると、絶縁材が破られて導体が露出し、露出した導体とソケットコンタクト１２０とが接触することにより、電線Ｗとソケットコンタクト１２０との電気的接続が実現される。
【先行技術文献】
【特許文献】
【０００４】
【特許文献１】特開２００５−１５８７３０号公報
【発明の概要】
【発明が解決しようとする課題】
【０００５】
圧接型のソケットコネクタ１００は、特許文献１の図１０から分かるように、電線Ｗが電線挿入溝１１５から露出した状態で使用される。そのため、電線Ｗに対して、上向きの力が掛かった場合、電線Ｗは、ソケットコンタクト１２０のスロット１２３から抜けることある。電線Ｗがスロット１２３から抜けると、電線Ｗの導体とソケットコンタクト１２０とは、電気的に接続されない状態となるため、圧接型のソケットコネクタ１００は、コネクタとして機能しない状態になる。
【０００６】
本発明は、ソケットコンタクトから電線が抜けることを抑制できるソケットコネクタを提供することを目的とする。
【課題を解決するための手段】
【０００７】
ベースハウジング及びベースコンタクトを備え且つ回路基板に固定されるベースコネクタと組み合わされて使用され、電線が配置されるソケットコネクタであって、前記ソケットコネクタと前記ベースコネクタとが組み合わされた状態において、前記ソケットコネクタから前記ベースコネクタに向かう方向を第１方向とし、前記第１方向と反対の方向を第２方向とし、前記第１方向及び前記第２方向に直交する方向を第３方向とし、前記第３方向と反対の方向を第４方向とし、前記第１方向、前記第２方向、前記第３方向及び前記第４方向に直交する方向を第５方向としたときに、前記ソケットコネクタは、ソケットハウジングと、ソケットコンタクトと、を備え、前記ソケットハウジングは、前記第３方向側の端面である第３方向側端面と、前記第３方向側端面に達するように前記第３方向に延びる電線配置溝であって前記ソケットコンタクトが配置される電線配置溝と、前記電線配置溝よりも前記第４方向側の端部の側に設けられ、且つ前記電線配置溝と連通する接点収容部と、を有し、前記電線配置溝は、溝底面と、前記第５方向に対向する２つの溝側壁と、を有しており、前記ソケットコンタクトは、前記溝底面に接する底板と、前記２つの溝側壁にそれぞれ接する２つの側壁板と、を有する本体部と、前記本体部の前記第４方向側の端部に設けられ、前記接点収容部に収容される接点部と、前記底板に設けられる圧接部と、を備え、前記圧接部は、前記第１方向に向かって延び、前記第５方向に対向する２つの電線挟持部材を有し、前記２つの電線挟持部材は、前記電線を挟持する第１部分と、前記第１部分よりも前記第１方向側の第２部分とを有し、前記２つの電線挟持部材の間隔は、前記第１部分よりも前記第２部分の方が狭くなっているソケットコネクタに関する。
【０００８】
また、前記２つの電線挟持部材は、その一方又は両方の前記第２部分に、突起を有し、前記２つの電線挟持部材の間隔は、前記突起によって、前記第１部分よりも前記第２部分の方が狭くなっていることが好ましい。
【０００９】
また、前記本体部の前記第３方向側の端部の側には、前記第５方向に対向する２つのかしめ部材が設けられており、前記２つのかしめ部材は、前記電線配置溝に配置される前記電線を抱き込むことによって、前記電線をかしめることが好ましい。
【００１０】
また、前記２つの電線かしめ部材は、前記電線をかしめた状態において、前記第３方向及び前記第４方向に互いに重なることが好ましい。
【発明の効果】
【００１１】
本発明によれば、ソケットコンタクトから電線が抜けることを抑制できるソケットコネクタを提供することができる。
【図面の簡単な説明】
【００１２】
【図１】本発明の第１実施形態のソケットコネクタとベースコネクタとを、分離した状態でソケットコネクタ側から視た斜視図である。
【図２】本発明の第１実施形態のソケットコネクタとベースコネクタとを、組み合わせた状態でソケットコネクタ側から視た斜視図である。
【図３】本発明の第１実施形態のソケットコネクタの斜視図である。
【図４】図３に示すソケットコネクタの分解図である。
【図５】第１実施形態のソケットコネクタにおけるソケットコンタクトを第２方向に視た斜視図である。
【図６】第１実施形態のソケットコネクタにおけるソケットコンタクトを第１方向に視た斜視図である。
【図７】図３に示すソケットコネクタについて、図３に示すＢ−Ｂ線で切断した断面図である。
【図８】図７に示すソケットコネクタの分解図である。
【図９】図２に示すソケットコネクタとベースコネクタとを組み合わせた状態について、図２に示すＡ−Ａ線で切断した断面図である。
【図１０】（Ａ）〜（Ｂ）は、ソケットコンタクトの圧接部について、図５に示すＣ−Ｃ線で切断した断面図であり、（Ａ）は、電線Ｗが配置されていない場合の断面図であり、（Ｂ）は、電線Ｗが配置された場合の断面図である。
【図１１】ソケットコネクタのかしめ部材周辺の拡大図である。
【図１２】（Ａ）〜（Ｃ）は、第２実施形態のソケットコネクタを説明するための図であり、（Ａ）は、本発明の第２実施形態のソケットコネクタのかしめ部材周辺の拡大図、（Ｂ）は、本発明の実施形態２のソケットコンタクトのかしめ部材周辺の拡大図、（Ｃ）は、本発明の第２実施形態のソケットコネクタのかしめ部材周辺の断面図である。
【図１３】（Ａ）〜（Ｃ）は、第３実施形態のソケットコネクタを説明するための図であり、（Ａ）は、本発明の第３実施形態のソケットコネクタとベースコネクタとを、組み合わせた状態でソケットコネクタ側から視た斜視図、（Ｂ）は、本発明の第３実施形態のソケットコネクタのポジティブロック部周辺の拡大図、（Ｃ）は、ポジティブロック部の構造を示す図である。
【図１４】（Ａ）〜（Ｄ）は、圧接部の変形例を示す図である。
【図１５】（Ａ）〜（Ｄ）は、かしめ部材の形状の変形例を示す図である。
【図１６】（Ａ）〜（Ｃ）は、嵌合部の形状の変形例を示す図である。
【発明を実施するための形態】
【００１３】
［第１実施形態］  以下、本発明の第１実施形態について、図面を参照しながら説明する。図１は、本発明の第１実施形態のソケットコネクタとベースコネクタとを分離した状態でソケットコネクタ側から視た斜視図である。図２は、本発明の第１実施形態のソケットコネクタとベースコネクタとを組み合わせた状態でソケットコネクタ側から視た斜視図である。図３は、本発明の第１実施形態のソケットコネクタの斜視図である。図４は、図３に示すソケットコネクタの分解図である。図５は、第１実施形態のソケットコネクタにおけるソケットコンタクトを第２方向に視た斜視図である。図６は、第１実施形態のソケットコネクタにおけるソケットコンタクトを第１方向に視た斜視図である。
【００１４】
図７は、図３に示すソケットコネクタについて、図３に示すＢ−Ｂ線で切断した断面図である。図８は、図７に示すソケットコネクタの分解図である。図９は、図２に示すソケットコネクタとベースコネクタとを組み合わせた状態について、図２に示すＡ−Ａ線で切断した断面図である。図１０は、ソケットコンタクトの圧接部について、図５に示すＣ−Ｃ線で切断した断面図であり、（Ａ）は、電線Ｗが配置されていない場合の断面図であり、（Ｂ）は、電線Ｗが配置された場合の断面図である。図１１は、ソケットコネクタのかしめ部材周辺の拡大図である。
【００１５】
本発明のソケットコネクタは、ベースコネクタと組み合わされて使用されるコネクタである。
まず、第１実施形態のソケットコネクタ１０と組み合わされて使用されるベースコネクタ３０について説明する。
なお、以下の説明において、ソケットコネクタ１０とベースコネクタ３０とが組み合わされた状態を「組み合わせ状態」という。また、組み合わせ状態において、ソケットコネクタ１０からベースコネクタ３０に向かう方向を「第１方向Ｄ１」とし、第１方向Ｄ１と反対の方向を第２方向Ｄ２とし、第１方向Ｄ１及び第２方向Ｄ２に直交する方向を第３方向Ｄ３とし、第３方向Ｄ３と反対の方向を第４方向Ｄ４とし、第１方向Ｄ１、第２方向Ｄ２、第３方向Ｄ３及び第４方向Ｄ４に直交する方向を第５方向としての「幅方向Ｄ５」とする。
【００１６】
図１及び図２に示すように、ベースコネクタ３０は、回路基板４０の表面に固定されるコネクタである。図１に示すように、ベースコネクタ３０は、合成樹脂等からなるベースハウジング３１と、複数のベースコンタクト３５とを備えている。ベースハウジング３１は、第１方向Ｄ１に平面視した場合、略矩形状の底板部３８と、略矩形状の底板部３８の３辺を囲む「コ」の字状の周壁部３２と、を備えている。ベースコネクタ３０においては、底板部３８及び略「コ」の字状の周壁部３２によって、収容空間３９が形成される。収容空間３９の第２方向Ｄ２側及び第３方向Ｄ３側は、開放されている。
【００１７】
図１に示すように、略「コ」の字状の周壁部３２は、底板部３８の第４方向Ｄ４側に位置し且つ幅方向Ｄ５に延びる前壁部３２ａと、前壁部３２ａの両端から第３方向Ｄ３に延びる一対の側壁部３２ｂと、を備える。前壁部３２ａの第１方向Ｄ１側の端面は、底板部３８の第１方向Ｄ１側の端面及び側壁部３２ｂの第１方向Ｄ１側の端面に対して、第２方向Ｄ２側にずれている。そのため、ベースハウジング３１の前壁部３２ａには、段差が形成される。
【００１８】
前壁部３２ａの第１方向Ｄ１側の端面には、第２方向Ｄ２に向けて、複数のベース端子溝３２ｃが設けられている。ベース端子溝３２ｃは、前壁部３２ａの第３方向Ｄ３側の端面及び第４方向Ｄ４側の端面に達するように形成されている。
【００１９】
前壁部３２ａと側壁部３２ｂとのつながる部分（収容空間３９の第４方向Ｄ４側の２つの角部）には、突起収容部３２ｄが形成されている。また、側壁部３２ｂの中央付近における収容空間３９側の側面には、ロック溝３２ｅが形成されている。ロック溝３２ｅの中には、ラッチ部３２ｆが設けられている。ラッチ部３２ｆの第２方向Ｄ２側の端部は、幅方向Ｄ５の内側及び第１方向Ｄ１に向けて傾斜する傾斜面となっている。
【００２０】
前壁部３２ａは、第３方向Ｄ３側の端面の両端において、第４方向Ｄ４側に向けて薄くなった部分である前壁薄部３２ａ１を有している。また、側壁部３２ｂは、中央付近よりも第４方向Ｄ４側において、幅方向Ｄ５の外側に向けて薄くなった部分である側壁薄部３２ｂ１を有している。側壁薄部３２ｂ１には、幅方向Ｄ５の内側に延びる仕切り壁３２ｇが設けられている。側壁薄部３２ｂ１における仕切り壁３２ｇよりも第３方向Ｄ３側の部分が、ロック溝３２ｅであり、第４方向Ｄ４側が突起収容部３２ｄである。突起収容部３２ｄは、仕切り壁３２ｇと、前壁薄部３２ａ１と、側壁薄部３２ｂ１と、で形成された空間である。
【００２１】
ベースコンタクト３５は、板状の金属片からなる。ベースコンタクト３５は、底板部３８から第２方向Ｄ２に立ち上がるソケット側コンタクト部３５ａと、ベース端子溝３２ｃに配置された基板側コンタクト部３５ｂと、を有する。ソケット側コンタクト部３５ａと基板側コンタクト部３５ｂとは、つながっている。ベースコンタクト３５の基板側コンタクト部３５ｂの第１方向Ｄ１側の一部は、前壁部３２ａの第１方向Ｄ１側の端面から突出している。基板側コンタクト部３５ｂは、回路基板４０における配線等に電気的に接続されるとともに、半田付け等により回路基板４０に機械的に固定される。
【００２２】
次に、ベースコネクタ３０と組み合わされて使用される、第１実施形態のソケットコネクタ１０について説明する。
図１〜図４等に示すように、第１実施形態のソケットコネクタ１０は、合成樹脂等からなるソケットハウジング１１と、ソケットコンタクト２１と、を備える。また、ソケットコネクタ１０には、電線Ｗが配置される。電線Ｗ第３方向Ｄ３に延びている。電線Ｗは、金属等の導体からなる芯線Ｗ１と、芯線Ｗ１を被覆する絶縁材Ｗ２とからなる。
【００２３】
ソケットハウジング１１は、全体で略直方体形状を有している。以下の説明において、略直方体の第１方向Ｄ１側の面を第１方向側主面Ｐ１とし、第２方向Ｄ２側の面を第２方向側主面Ｐ２とし、第３方向Ｄ３側の面を第３方向側端面Ｐ３とし、第４方向Ｄ４側の面を第４方向側端面Ｐ４とし、幅方向Ｄ５に互いに対向する２つの端面を幅方向側端面Ｐ５とする。
【００２４】
図３、図４、図７、図８等に示すように、ソケットハウジング１１の第１方向側主面Ｐ１には、５つ（複数）の電線配置溝１２と、５つ（複数）の接点露出スリット１３と、が設けられている。電線配置溝１２は、第１方向側主面Ｐ１の第４方向Ｄ４に寄った位置から、第３方向側端面Ｐ３に向けて延びており、第３方向側端面Ｐ３に達している。電線配置溝１２は、溝底面１２ａと、幅方向Ｄ５に対向する２つの溝側壁１２ｂで構成されている。また、溝側壁１２ｂの上には、ストレインリリーフ１２ｃが設けられている。ストレインリリーフ１２ｃは、溝側壁１２ｂよりも幅方向Ｄ５に厚く形成されている。
【００２５】
接点露出スリット１３においては、第１方向側主面Ｐ１において、電線配置溝１２の第４方向Ｄ４側の端部の側から第４方向Ｄ４側の端部まで形成された第１方向側主面部分１３ａと、第４方向側端面Ｐ４において、第２方向Ｄ２側に寄った位置から第１方向側主面Ｐ１まで形成された第４方向側端面部分１３ｂとにおいて、開放している。第３方向Ｄ３及び第４方向Ｄ４において、接点露出スリット１３の幅方向Ｄ５の中心線は、電線配置溝１２の幅方向Ｄ５の中心線と略一致している。また、接点露出スリット１３の数は、電線配置溝１２の数と一致している。また、接点露出スリット１３は、後述する接点収容部１４に連通している。
【００２６】
図７及び図８に示すように、ソケットハウジング１１における電線配置溝１２よりも第４方向Ｄ４側の端部の側には、電線配置溝１２に連通する空間である接点収容部１４が設けられている。接点収容部１４は、第４方向Ｄ４側の面である収容部奥面１４ａと、幅方向Ｄ５に互いに対向する２つの収容部側壁１４ｂと、第２方向Ｄ２側の面である収容部底面１４ｃと、第１方向Ｄ１側の面である収容部天面１４ｄとで構成された空間であり、第３方向側が開放された空間である。収容部側壁１４ｂは溝側壁１２ｂとつながっている。収容部底面１４ｃは溝底面１２ａとつながっている。
【００２７】
上述したように、接点露出スリット１３は、接点収容部１４に連通している。そのため、接点露出スリット１３の第１方向側主面部分１３ａは、収容部天面１４ｄに形成されたスリットとなる。接点露出スリット１３の第４方向側端面部分１３ｂは、収容部奥面１４ａに形成されたスリットとなる。その結果、接点収容部１４は、接点露出スリット１３を介して、第１方向側主面Ｐ１側の空間及び第４方向側端面Ｐ４側の外部空間とつながっている。
【００２８】
図７及び図８に示すように、接点収容部１４の収容部底面１４ｃには、ハウジングランス１４ｅが設けられている。ハウジングランス１４ｅは、Ｄ１−Ｄ２−Ｄ３−Ｄ４平面で切断した断面が略台形となっていることから分かるように、第３方向Ｄ３側の側面が第３方向Ｄ３及び第２方向Ｄ２に向けて傾斜する傾斜面とした略台形柱の形状をしている。収容部底面１４ｃにおけるハウジングランス１４ｅの周囲（第４方向Ｄ４側及び幅方向Ｄ５側の両側）には、略「コ」の字状の貫通口１４ｆが設けられている。図１及び図２に示すように、貫通口１４ｆは、第２方向側主面Ｐ２まで達している。そのため、接点収容部１４は、貫通口１４ｆを介して、第２方向側主面Ｐ２側の外部空間とつながっている。
【００２９】
図１〜図４に示すように、ソケットハウジング１１における第３方向Ｄ３側の２つの角部には、略直方体形状の第３方向側突起１５が設けられている。第４方向Ｄ４側の２つの角部には、略直方体形状の第４方向側突起１６が設けられている。また、２つの幅方向側端面Ｐ５における第４方向Ｄ４側に寄った位置には、フリクションロック部１７が設けられている。
【００３０】
図４、図５、図６及び図１０に示すように、ソケットコンタクト２１は、本体部２２と、２つの圧接部２３と、接点部２４と、嵌合部２５と、２つのかしめ部材２６と、を有している。本体部２２は、第２方向Ｄ２側に位置する底板２２ａと、底板２２ａの幅方向Ｄ５の両端から第１方向Ｄ１に立ち上がる側壁板２２ｂと、を備える。底板２２ａは、本体部の中央付近の第１底板部２２ａ１と、第３方向Ｄ３側の端部付近の第２底板部２２ａ２とを有する。また、側壁板２２ｂは、それぞれ２つの窪み部２２ｂ１を有している。
【００３１】
第１底板部２２ａ１の第３方向Ｄ３側の端部及び第４方向Ｄ４側の端部には、圧接部２３が、第１方向Ｄ１に向けて立ち上がるように設けられている。図４、図５、図６及び図１０に示すように、圧接部２３は、幅方向Ｄ５に対向する２つの電線挟持部材２３ａを有している。２つの電線挟持部材２３ａは、電線Ｗを挟持するとともに、ソケットコンタクト２１と電線Ｗとの電気的接触を図るための部材である。
【００３２】
図１０（Ｂ）に示すように、電線挟持部材２３ａは電線Ｗを挟持する。電線挟持部材２３ａは、電線Ｗが配置される部分である第１部分２３ａ１と、第１部分２３ａ１よりも第１方向Ｄ１側の部分である第２部分２３ａ２と、を有している。２つの電線挟持部材２３ａそれぞれの第２部分２３ａ２には、突起２３ｂが設けられている。それぞれの突起２３ｂは、曲線状の外形を有する突起であり、互いに幅方向Ｄ５に対向し、互いに近づく方向に突出している。突起２３ｂが設けられることにより、２つの電線挟持部材２３ａの間隔は、第１部分２３ａ１よりも第２部分２３ａ２の方が狭くなっている。また、２つの電線挟持部材２３ａの第２部分２３ａ２における突起２３ｂが設けられた部分の反対側には、それぞれ引っ掛け部２３ｃが設けられている。引っ掛け部２３ｃは、側壁板２２ｂに向けて（幅方向Ｄ５の外側に向けて）突出しており、側壁板２２ｂの窪み部２２ｂ１に引っ掛かっている。
【００３３】
図４、図５及び図６に示すように、本体部２２の第４方向Ｄ４側の端部には、２つの接点部２４が設けられている。２つの接点部２４は、板状の部材である。接点部２４における第３方向Ｄ３側の端部は、側壁板２２ｂの第４方向Ｄ４側の端部の第１方向Ｄ１側の部分につながっている。２つの接点部２４は、第４方向Ｄ４に延びており、第４方向Ｄ４の先端に向かうにつれて、互いに近づくように曲がっている。
【００３４】
図４、図５及び図６に示すように、本体部２２の第４方向Ｄ４側の端部には、嵌合部２５が設けられている。嵌合部２５は、第２方向Ｄ２で２つの接点部２４と対向している。嵌合部２５は、嵌合穴２５ａを有する板状部材である。板状部材の幅方向Ｄ５の両端は、第１方向Ｄ１側に折り曲げられている。板状部材の第３方向Ｄ３側の２つの角部は、側壁板２２ｂにおける第４方向Ｄ４側の端部の第２方向Ｄ２側の部分につながっている。
【００３５】
図４、図５及び図６に示すように、本体部２２の第３方向Ｄ３側の端部の側には、幅方向Ｄ５に対向する２つのかしめ部材２６が設けられている。２つのかしめ部材２６は、板状の部材である。かしめ部材２６における第２方向Ｄ２側の端部は、第２底板部２２ａ２の幅方向Ｄ５の両端につながっている。かしめ部材２６は、かしめ本体部２６ａと、かしめ補強部２６ｂとを有している。かしめ本体部２６ａは、略矩形状の部分である。かしめ補強部２６ｂは、かしめ本体部２６ａの第１方向Ｄ１側の端部に設けられた略矩形状の突起である。一方のかしめ補強部２６ｂは、かしめ本体部２６ａの第１方向Ｄ１側の端部の第３方向Ｄ３側に設けられている。他方のかしめ補強部２６ｂは、かしめ本体部２６ａの第１方向Ｄ１側の端部の第４方向Ｄ４側に設けられている。後述するように、かしめ部材２６は、ソケットコンタクト２１に配置された電線Ｗを抱き込むことによって、電線をかしめる部材である。２つのかしめ補強部２６ｂは、かしめ部材２６が電線Ｗを抱き込んだ際、第３方向Ｄ３及び第４方向Ｄ４で互いに重なるように、かしめ本体部２６ａに配置されている。
【００３６】
図３、図４、図７、図８等に示すように、ソケットコンタクト２１は、ソケットハウジング１１の電線配置溝１２の第３方向Ｄ３側の端部から、第４方向Ｄ４に向けて挿入される。その結果、ソケットハウジング１１の電線配置溝１２には、ソケットコンタクト２１が配置される。電線配置溝１２にソケットコンタクト２１が配置された後、電線Ｗは、電線Ｗの第４方向Ｄ４の端部が電線配置溝１２の第４方向Ｄ４側の端部と略一致するようにして、第１方向Ｄ１に向けて挿入される。その結果、電線配置溝１２に配置されたソケットコンタクト２１には、電線Ｗが配置される。また、電線Ｗは、ソケットハウジング１１の第３方向側端面Ｐ３が第３方向Ｄ３に延びることになる。
【００３７】
図７に示すように、ソケットハウジング１１の電線配置溝１２にソケットコンタクト２１が配置されると、ソケットコンタクト２１の底板２２ａは、電線配置溝１２の溝底面１２ａに接し、ソケットコンタクト２１の側壁板２２ｂは、電線配置溝１２の溝側壁１２ｂに接することになる。このとき、側壁板２２ｂの第１方向Ｄ１側の端部よりも第１方向Ｄ１側には、ストレインリリーフ１２ｃが位置するようになっている。そのため、電線配置溝１２に配置されたソケットコンタクト２１に対して、第１方向Ｄ１の力が掛かっても、側壁板２２ｂの第１方向Ｄ１側の端部が、ストレインリリーフ１２ｃに当たることになる。よって、第１方向Ｄ１の力がソケットコンタクト２１に掛かった場合であっても、電線配置溝１２からソケットコンタクト２１が抜けることは抑制される。
【００３８】
図７に示すように、ソケットコンタクト２１の接点部２４は、ソケットハウジング１１の接点収容部１４に収容される。また、図３に示すように、接点部２４は、接点露出スリット１３から露出するように配置されている。
【００３９】
図７に示すように、ソケットコンタクト２１の嵌合部２５は、接点部２４と同様に、ソケットハウジング１１の接点収容部１４に収容される。このとき、嵌合部２５の嵌合穴２５ａにハウジングランス１４ｅが嵌合する。なお、上述したように、ハウジングランス１４ｅは、第３方向Ｄ３側の側面を傾斜面とした略台形柱の形状をしている。よって、ソケットコンタクト２１が電線配置溝１２に挿入される際、嵌合部２５はハウジングランス１４ｅの傾斜面を摺動し、その後、嵌合穴２５ａにハウジングランス１４ｅが嵌合する。このように、接点収容部１４にハウジングランス１４ｅが設けられていても、ハウジングランス１４ｅの第３方向Ｄ３側の側面が傾斜面になっているため、ソケットコンタクト２１の電線配置溝１２への挿入は容易である。また、嵌合部２５がハウジングランス１４ｅに嵌合する際、クリック感が生じる。そのため、作業者は、ソケットコンタクト２１が電線配置溝１２に正常に配置されたことを容易に確認することができる。
【００４０】
ソケットコンタクト２１の圧接部２３は、電線配置溝１２の中央付近の第４方向Ｄ４側に寄った位置に配置される。また、ソケットコンタクト２１のかしめ部材２６は、電線配置溝１２の第３方向Ｄ３側の端部に配置される。
【００４１】
図３、図７及び図１０に示すように、電線Ｗは、電線配置溝１２に配置されたソケットコンタクト２１の中に配置される。このとき、電線Ｗは、圧接部２３の２つの電線挟持部材２３ａに挟持される。図１０（Ｂ）に示すように、電線Ｗの直径は、電線挟持部材２３ａの間隔よりも大きく、且つ芯線Ｗ１の直径は電線挟持部材２３ａの間隔とほぼ同じか、やや大きい。そのため、電線Ｗが電線挟持部材２３ａに挟持される際、絶縁材Ｗ２が破れて、芯線Ｗ１と電線挟持部材２３ａとが接触する。芯線Ｗ１と電線挟持部材２３ａとが接触することにより、電線Ｗとソケットコンタクト２１とは、電気的に接続されることになる。
【００４２】
図３、図７及び図１１に示すように、かしめ部材２６は、ソケットコンタクト２１に配置された電線Ｗを抱き込むことによって、電線Ｗをかしめている。かしめ部材２６は、電線Ｗをかしめた状態において、第３方向Ｄ３及び第４方向Ｄ４に互いに重なるように配置される。より具体的には、一方のかしめ部材２６が有するかしめ補強部２６ｂと、他方のかしめ部材２６が有するかしめ補強部２６ｂとは、第３方向Ｄ３及び第４方向Ｄ４で重なるように配置される。
【００４３】
図１、図２、図９等に示すように、ソケットコネクタ１０とベースコネクタ３０とは次のように組み合わされ、ソケットコネクタ−ベースコネクタ対が形成される。第４方向側突起１６と突起収容部３２ｄとを対向させ、フリクションロック部１７とロック溝３２ｅとを対向させ、接点露出スリット１３とベースコンタクト３５におけるソケット側コンタクト部３５ａとを対向させた状態において、ソケットコネクタ１０とベースコネクタ３０とを第１方向Ｄ１又は第２方向Ｄ２に相対的に接近させる。その結果、第４方向側突起１６が突起収容部３２ｄに挿入され、フリクションロック部１７がロック溝３２ｅに挿入され、接点露出スリット１３にベースコンタクト３５におけるソケット側コンタクト部３５ａが挿入される。
【００４４】
なお、ソケットコネクタ１０とベースコネクタ３０とを単に接近させただけでは、ソケットコネクタ−ベースコネクタ対の形成は、終了しない。フリクションロック部１７が、ロック溝３２ｅの中に設けられたラッチ部３２ｆの第２方向Ｄ２側の端部に当たり、ソケットコネクタ１０は、ベースコネクタ３０に接近しなくなるためである。そこで、所定以上の力を掛けて、更にソケットコネクタ１０とベースコネクタ３０とを第１方向Ｄ１又は第２方向Ｄ２に相対的に接近させる。そうすると、フリクションロック部１７が、ラッチ部３２ｆの傾斜面を摺動し、ラッチ部３２ｆを乗り越えて、ラッチ部３２ｆの第１方向Ｄ１側に移動する。すなわち、フリクションロック部１７は、ラッチ部３２ｆに係合すると共に、ロック溝３２ｅに完全に挿入される。フリクションロック部１７が、ロック溝３２ｅに完全に挿入されると、ソケットコネクタ１０とベースコネクタ３０とは、図２に示す状態になり、ソケットコネクタ−ベースコネクタ対の形成は終了する。また、フリクションロック部１７がラッチ部３２ｆに係合する際、クリック感が生じる。そのため、作業者は、ソケットコネクタ−ベースコネクタ対の形成の終了を容易に判断することができる。
【００４５】
また、図９に示すように、ソケットコネクタ−ベースコネクタ対において、接点露出スリット１３に挿入されたベースコンタクト３５におけるソケット側コンタクト部３５ａは、ソケットコンタクト２１の２つの接点部２４によって挟持される。ソケット側コンタクト部３５ａが、ソケットコンタクト２１の２つの接点部２４によって挟持されることにより、ソケットコンタクト２１とベースコンタクト３５とは、電気的に接続される。
【００４６】
このように、ソケットコネクタ−ベースコネクタ対においては、電線Ｗの芯線Ｗ１とソケットコンタクト２１の電線挟持部材２３ａ（圧接部２３）との接触、及びソケットコンタクト２１の接点部２４とベースコネクタ３０のベースコンタクト３５との接触により、電線Ｗの芯線Ｗ１とベースコンタクト３５とが電気的に接続された状態となる。
【００４７】
一方、ソケットコネクタ１０とベースコネクタ３０との結合状態は、作業者が所定以上の力で電線Ｗを第２方向Ｄ２に引っ張ることによって解除される。所定以上の力で電線Ｗが第２方向Ｄ２に引っ張られると、フリクションロック部１７とラッチ部３２ｆとの係合状態が解除され、ソケットコネクタ１０とベースコネクタ３０とは、第１方向Ｄ１又は第２方向Ｄ２に相対的に離間する。その結果、ソケットコネクタ１０とベースコネクタ３０との結合状態は、解除される。
【００４８】
以上の構成を有する第１実施形態のソケットコネクタ１０によれば、以下の効果が奏される。
第１実施形態のソケットコネクタ１０においては、２つの電線挟持部材２３ａの第２部分２３ａ２には、突起２３ｂが設けられているため、２つの電線挟持部材２３ａの間隔は、第１部分２３ａ１（電線Ｗが配置される部分）よりも第２部分２３ａ２（第１部分２３ａ１よりも第１方向Ｄ１側の部分）の方が狭くなっている。そのため、ソケットコンタクト２１に配置された電線Ｗに対して第１方向Ｄ１の力が掛かった場合において、電線Ｗが第１方向Ｄ１に移動しても、電線Ｗは第２部分２３ａ２の突起２３ｂに当たることになる。よって、第１方向Ｄ１の力が、ソケットコンタクト２１に配置された電線Ｗに掛かった場合であっても、ソケットコンタクト２１から電線Ｗが抜けることは抑制される。
【００４９】
また、第１実施形態のソケットコネクタ１０においては、ソケットコンタクト２１の嵌合部２５の嵌合穴２５ａは、ソケットハウジング１１のハウジングランス１４ｅに嵌合している。そのため、電線配置溝１２に配置されたソケットコンタクト２１に対して、第３方向Ｄ３の力が掛かっても、電線配置溝１２からソケットコンタクト２１が抜けることは抑制される。
【００５０】
また、嵌合部２５は、ソケットコンタクト２１の本体部２２の第４方向Ｄ４側の端部に設けられており、第２方向Ｄ２で２つの接点部２４と対向している。すなわち、嵌合部２５は、ソケットコンタクト２１の本体部２２の第４方向Ｄ４側において、通常であれば活用されないスペースとなる部分に設けられている。また、ハウジングランス１４ｅは、接点収容部１４の内部（接点収容部１４の収容部底面１４ｃ）に設けられている。すなわち、ハウジングランス１４ｅは、接点収容部１４の内部において、通常であれば活用されないスペースとなる部分に設けられる。よって、ソケットコネクタ１０において、嵌合部２５及びハウジングランス１４ｅのための専用スペースは必要とされない。そのため、ソケットコネクタ１０は、小型化が容易なものとなっている。
【００５１】
また、第１実施形態のソケットコネクタ１０においては、ソケットコンタクト２１にかしめ部材２６が設けられており、かしめ部材２６が、電線Ｗを抱き込むことによって、電線Ｗをかしめている。そのため、ソケットハウジング１１の第３方向Ｄ３外側に延びた電線Ｗに対して、第１方向Ｄ１の力が掛かっても、電線Ｗが第１方向Ｄ１に抜けることは抑制される。また、この第１方向Ｄ１の力は、かしめ部材２６にほぼ集中するため、かしめ部材２６よりも第４方向Ｄ４側の電線Ｗに及ぶことが抑制される。そのため、電線Ｗが、圧接部２３の電線挟持部材２３ａから抜けることが、更に抑制される。
【００５２】
また、かしめ部材２６が電線Ｗをかしめた状態において、一方のかしめ部材２６が有するかしめ補強部２６ｂと、他方のかしめ部材２６が有するかしめ補強部２６ｂとは、第３方向Ｄ３及び第４方向Ｄ４で重なる。そのため、かしめ部材２６に第１方向Ｄ１の力が集中し、かしめ部材２６が開いたとしても、２つのかしめ補強部２６ｂが第３方向Ｄ３及び第４方向Ｄ４で重なっている状態が維持されている限り、電線Ｗが第１方向Ｄ１に抜けることは抑制される。
【００５３】
また、ソケットハウジング１１には、貫通口１４ｆが設けられている。そのため、ソケットコネクタ−ベースコネクタ対が形成された状態であっても、第２方向側主面Ｐ２からソケットコンタクト２１の接点部２４を視認できる。よって、ソケットコネクタ−ベースコネクタ対において、例えば、貫通口１４ｆを介してテスターの一方の端子を接点部２４に接触させ、テスターの他方の端子を電線Ｗの芯線Ｗ１に接触させることによって、ソケットコンタクト２１と電線Ｗとの導通を確認することができる。
【００５４】
［第２実施形態］
次に、本発明の第２実施形態について、図１２を参照しながら説明する。図１２は、第２実施形態のソケットコネクタを説明するための図であり、（Ａ）は、本発明の第２実施形態のソケットコネクタのかしめ部材周辺の拡大図、（Ｂ）は、本発明の実施形態２のソケットコンタクトのかしめ部材周辺の拡大図、（Ｃ）は、本発明の第２実施形態のソケットコネクタのかしめ部材周辺の断面図である。
【００５５】
第２実施形態については、主として、第１実施形態と異なる点を中心に説明し、第１実施形態と同様な構成については、詳細な説明を省略する。特に説明しない点は、第１実施形態についての説明が適宜適用される。
【００５６】
図１２（Ａ）、（Ｃ）に示すように、第２実施形態のソケットコネクタ１０Ａにおいては、ソケットハウジング１１の第３方向側端面Ｐ３における電線配置溝１２の第２方向Ｄ２側には、圧入補助穴１８が設けられている。圧入補助穴１８は、第３方向Ｄ３側に開放している。
図１２（Ｂ）に示すように、第２実施形態のソケットコネクタ１０Ａにおけるソケットコンタクト２１Ａの第２底板部２２ａ２の第３方向Ｄ３側の端部には、圧入補助部材２７が設けられている。圧入補助部材２７は、相対的に幅が狭い幅狭部２７ａと、相対的に幅が広い幅広部２７ｂと、を有している。圧入補助部材２７は、ソケットコンタクト２１Ａの第２底板部２２ａ２の第３方向Ｄ３側の端部から第３方向Ｄ３に延びる部材が、第４方向Ｄ４に折り曲げられることによって形成された部材である。幅狭部２７ａの第４方向Ｄ４側の端部は、第２底板部２２ａ２とつながっている。幅狭部２７ａの第４方向Ｄ４側の端部には、幅広部２７ｂがつながっている。幅広部２７ｂには、開口部２７ｃが設けられている。
【００５７】
図１２（Ａ）〜（Ｃ）に示すように、ソケットコンタクト２１Ａは、電線配置溝１２に挿入される。このとき、圧入補助部材２７は、第４方向Ｄ４に折り曲げられた状態（図１２（Ｂ）の状態）で、圧入補助穴１８に挿入される。
第２実施形態においては、圧入補助部材２７が圧入補助穴１８に挿入されているため、電線配置溝１２に配置されたソケットコンタクト２１Ａに対して第１方向Ｄ１の力が掛かっても、ソケットコンタクト２１Ａが電線配置溝１２から抜けることは抑制される。
【００５８】
［第３実施形態］
次に、本発明の第３実施形態について、図１３を参照しながら説明する。図１３は、第３実施形態のソケットコネクタを説明するための図であり、（Ａ）は、本発明の第３実施形態のソケットコネクタとベースコネクタとを、組み合わせた状態でソケットコネクタ側から視た斜視図、（Ｂ）は、本発明の第３実施形態のソケットコネクタのポジティブロック部周辺の拡大図、（Ｃ）は、ポジティブロック部の構造を示す図である。
【００５９】
第３実施形態についても、主として、第１実施形態と異なる点を中心に説明し、第１実施形態と同様な構成については、詳細な説明を省略する。特に説明しない点については、第１実施形態についての説明が適宜適用される。
【００６０】
図１３（Ａ）に示すように、第３実施形態のソケットコネクタ１０Ｂにおけるソケットハウジング１１Ｂは、第１実施形態のソケットコネクタ１０と異なり、ポジティブロック部１９を備えたポジティブロック構造となっている。ポジティブロック部１９は、ソケットハウジング１１Ａの幅方向側端面Ｐ５における第４方向Ｄ４側に設けられている。ポジティブロック部１９は、図１３（Ｂ）（Ｃ）に示すように、アーム状の部材である。ポジティブロック部１９は、幅方向Ｄ５に延びる第１アーム部１９ａと、第１方向Ｄ１に延びる第２アーム部１９ｂと、第２アーム部１９ｂの第１方向Ｄ１側の先端に設けられたフック部１９ｃとを有している。また、ベースハウジング３１Ｂの幅方向Ｄ５に対向する側面には、フック部１９ｃと係合するラッチ部（不図示）が設けられている。フック部１９ｃは幅方向Ｄ５の内側に突出している。ラッチ部（不図示）は幅方向Ｄ５の外側に突出している。
【００６１】
ソケットコネクタ１０Ｂとベースコネクタ３０Ｂとは次のように組み合わされ、ソケットコネクタ−ベースコネクタ対が形成される。ポジティブロック部１９とラッチ部（不図示）とを対向させた状態において、所定以上の力を掛けて、ソケットコネクタ１０Ｂとベースコネクタ３０Ｂとを第１方向Ｄ１又は第２方向Ｄ２に相対的に接近させる。そうすと、ポジティブロック部１９が、ラッチ部（不図示）を摺動し、ラッチ部（不図示）を乗り越えて、ラッチ部（不図示）に係合する。その結果、図１３（Ａ）に示す様態になり、ソケットコネクタ−ベースコネクタ対の形成は終了する。
【００６２】
第３実施形態においては、ソケットコネクタ１０Ｂには、ポジティブロック部１９が採用し、ベースコネクタ３０Ｂには、ポジティブロック部１９に対応するラッチ部（不図示）が採用されため、ソケットコネクタ−ベースコネクタ対を形成することができる。なお、ソケットコネクタ−ベースコネクタ対の解除は、第１実施形態のものと同様に行われる。
【００６３】
本発明は、上記実施形態に限定されることはなく、特許請求の範囲に記載された技術的範囲において変形が可能である。
【００６４】
例えば、２つの電線挟持部材２３ａは、図１０（Ａ）のような形状であったが、この形状に限定されない。２つの電線挟持部材２３ａにおける第２部分２３ａ２の間隔が、第１部分２３ａ１の間隔よりも狭くなっていればよい。
【００６５】
図１４（Ａ）に示すように、第２部分２３ａ２に設けられる突起２３ｂは、第２方向Ｄ２側の端部が一部切り欠かかれた曲線状の外形を有する突起であってもよい。また、図１４（Ｂ）に示すように、第２部分２３ａ２に設けられる突起２３ｂは、第２方向Ｄ２側の端部が二段階に切り欠かかれた曲線状の外形を有する突起であってもよい。また、図１４（Ｃ）に示すように、第２部分２３ａ２に設けられる突起２３ｂは、曲線状の外形を有する突起が２つの突起であってもよい。更に、第２部分２３ａ２に設けられる突起２３ｂは、曲線形状以外の外形を有する突起であってもよい。
【００６６】
また、図１４（Ｄ）に示すように、第２部分２３ａ２に設けられる突起２３ｂは、第２部分２３ａ２の第１方向Ｄ１側の先端に設けられる必要はない。第２部分２３ａ２に設けられる突起２３ｂは、第１方向Ｄ１側の先端よりも第２方向Ｄ２側に寄った位置に設けられていてもよい。また、図１４（Ｄ）に示すように、第１部分２３ａ１にも突起が設けられていてよい。第１部分２３ａ１に設けられた突起は、芯線Ｗ１と電線挟持部材２３ａとの接触をより確実なものにするために設けられている。図１４（Ｄ）に示す電線挟持部材２３ａであっても、第２部分２３ａ２における突起２３ｂが設けられた部分の間隔は、第１部分２３ａ１における突起が設けられていない部分の間隔よりも狭くなっているため、２つの電線挟持部材２３ａにおける第２部分２３ａ２の間隔が、第１部分２３ａ１の間隔よりも狭くなっているといえる。
【００６７】
例えば、２つのかしめ部材２６は、図１１に示すような形状であったが、この形状に限定されない。２つのかしめ部材２６は、電線Ｗを抱き込むことによって、電線をかしめる部材であればよい。
【００６８】
図１５（Ａ）に示すように、２つのかしめ部材２６は、かしめ補強部２６ｂを有さないものであってもよい。このようなかしめ部材２６であっても、電線Ｗが第１方向Ｄ１に抜けることは抑制される。
また、図１５（Ｂ）に示すように、かしめ補強部２６ｂが略直角三角形形状の部材であってもよい。一方のかしめ補強部２６ｂは、第４方向Ｄ４側が直角となった略三角形状である。他方のかしめ補強部２６ｂは、第３方向Ｄ３側が直角となった略三角形状である。この様な形状のかしめ補強部２６ｂであっても、２つのかしめ部材２６が電線Ｗをかしめた場合、図１５（Ｂ）に示すように、第３方向Ｄ３及び第４方向Ｄ４で互いに重なるため、電線Ｗが第１方向Ｄ１に抜けることは抑制される。
【００６９】
図１５（Ｃ）に示すように、一方のかしめ補強部２６ｂが、一方のかしめ本体部２６ａの中央に設けられた１つの突起であり、他方のかしめ補強部２６ｂが、他方のかしめ本体部２６ａの第３方向Ｄ３側の端部及び第４方向Ｄ４側の端部に設けられた２つの突起であってもよい。このような形状のかしめ補強部２６ｂであっても、２つのかしめ部材２６が電線Ｗをかしめた場合、図１５（Ｃ）に示すように、一方のかしめ補強部２６ｂが、他方のかしめ補強部２６ｂに挟まれるようにして、第３方向Ｄ３及び第４方向Ｄ４で互いに重なるため、電線Ｗが第１方向Ｄ１に抜けることは抑制される。
【００７０】
更に、図１５（Ｄ）に示すように、一方のかしめ本体部２６ａの中央に設けられた１つの突起は、第１方向Ｄ１側に向かうにつれて広くなった形状であり、他方のかしめ本体部２６ａに設けられた２つの突起は、第２方向Ｄ２側に向かうにつれて狭くなった形状であってもよい。このような形状のかしめ補強部２６ｂであっても、２つのかしめ部材２６が電線Ｗをかしめた場合、図１５（Ｄ）に示すように、一方のかしめ補強部２６ｂが、他方のかしめ補強部２６ｂに挟まれるようにして、第３方向Ｄ３及び第４方向Ｄ４で互いに重なる。更に、一方のかしめ補強部２６ｂが、他方のかしめ補強部２６ｂに対して楔として機能するため、電線Ｗが第１方向Ｄ１に抜けることは、より強く抑制される。
【００７１】
例えば、嵌合部２５は、図５及び図６に示すような形状であったが、この形状に限定されない。嵌合部２５は、ハウジングランス１４ｅと嵌合する構造の部材であればよい。
図１６（Ａ）に示すように、板状部材の幅方向Ｄ５の両端は、折り曲げられていなくてもよい。このように、板状部材は、平坦な板状の部材であってもよい。
【００７２】
また、図１６（Ｂ）に示すように、嵌合部２５は、「コ」の字状の部材であってもよい。すなわち、嵌合部２５は、嵌合穴２５ａを有する板状の部材でなくてもよい。「コ」の字状の部材は、２つの棒状部材２５ｂと、嵌合用部材２５ｃと、を備える。２つの棒状部材２５ｂは、それぞれ、本体部２２における側壁板２２ｂの第４方向Ｄ４側の端部から第４方向Ｄ４に向けて延びている。嵌合用部材２５ｃは、幅方向Ｄ５に延びている。嵌合用部材２５ｃの両端は、２つの棒状部材２５ｂの第４方向Ｄ４側の端部につながっている。
図１６（Ａ）や図１６（Ｂ）に示す嵌合部２５は、図５及び図６に示す嵌合部２５と同様に、ハウジングランス１４ｅと嵌合することが可能である。
【００７３】
また、例えば、図４〜図８において、ソケットコンタクト２１の嵌合部２５は、第２方向Ｄ２で２つの接点部２４と対向していたが、第１方向Ｄ１で対向していてもよい。この場合、接点収容部１４におけるハウジングランス１４ｅは、収容部天面１４ｄに設けられる。このような嵌合部２５及びハウジングランス１４ｅの配置であっても、嵌合部２５及びハウジングランス１４ｅのための専用スペースは必要とされない。そのため、ソケットコネクタ１０は、小型化が容易なものとなる。
【００７４】
また、例えば、圧接部２３は、ソケットコンタクト２１に２つずつ設けられていたが、２つでなくてもよい。圧接部２３は、１つであってもよいし、３つ以上であってもよい。更に、圧接部２３が２つ以上設けられている場合、いずれか１つの圧接部２３において、電線挟持部材２３ａの第２部分２３ａ２の間隔が、第１部分２３ａ１の間隔よりも狭くなっていればよい。
【符号の説明】
【００７５】
１０，１０Ａ，１０Ｂ    ソケットコネクタ
１１，１１Ａ，１１Ｂ    ソケットハウジング
１２    電線配置溝
１２ａ  溝底面
１２ｂ  溝側壁
１４    接点収容部
２１    ソケットコンタクト
２２    本体部
２２ａ  底板
２２ｂ  側壁板
２３    圧接部
２３ａ  電極挟持部材
２３ａ１第１部分
２３ａ２第２部分
２３ｂ  突起
２４    接点部
２６    かしめ部材
３０，３０Ａ，３０Ｂ    ベースコネクタ
３１，３１Ａ，３１Ｂ    ベースハウジング
３５    ベースコンタクト
４０    回路基板
Ｄ１    第１方向
Ｄ２    第２方向
Ｄ３    第３方向
Ｄ４    第４方向
Ｄ５    幅方向（第５方向）
Ｐ３    第３方向側端面
Ｗ      電線
【図１】
2015232931.tif 000003
【図２】
2015232931.tif 000004
【図３】
2015232931.tif 000005
【図４】
2015232931.tif 000006
【図５】
2015232931.tif 000007
【図６】
2015232931.tif 000008
【図７】
2015232931.tif 000009
【図８】
2015232931.tif 000010
【図９】
2015232931.tif 000011
【図１０】
2015232931.tif 000012
【図１１】
2015232931.tif 000013
【図１２】
2015232931.tif 000014
【図１３】
2015232931.tif 000015
【図１４】
2015232931.tif 000016
【図１５】
2015232931.tif 000017
【図１６】
2015232931.tif 000018